(57)【特許請求の範囲】
【請求項１】
金属製の外箱と、上記金属製の外箱の内部に収納されると共に、引込まれた送電回路用導体に一次コイルが接続され、かつ、二次コイル側から所定の出力を取り出すようになされた計器用変圧器及び変流器を有するものにおいて、上記引込まれた送電回路用導体と上記計器用変圧器の一次コイルとの間を接続する一次ケーブルの中間部分を、保持部材を用いて所定位置に保持したことを特徴とする計器用変成器装置。
【請求項２】
保持部材のケーブル保持部は、引込まれた送電回路用導体と上記計器用変圧器の一次コイルとの間を接続する一次ケーブルの主要部分を貫通させるように、細長い筒状に形成したものであることを特徴とする請求項１記載の計器用変成器装置。
【請求項３】
細長い筒状に形成されたケーブル保持部の側壁に、収納された計器用変圧器または変流器に向かって開口した窓孔を設けたことを特徴とする請求項２記載の計器用変成器装置。
【請求項４】
細長い筒状に形成されたケーブル保持部の先端に、所定方向に屈曲した筒状キャップを設けたことを特徴とする請求項２または請求項３記載の計器用変成器装置。
【発明の詳細な説明】
【０００１】
【発明の属する技術分野】
この発明は、金属製の外箱に計器用変圧器及び変流器を収納して構成された計器用変成器装置において、外箱に引込まれた送電回路用導体と計器用変圧器の一次コイルとの間を接続する一次ケーブルの保持手段に関するものである。
【０００２】
【従来の技術】
図９は、例えば実公平３−４７３１５号公報に示された従来の三相３線式計器用変成器の内部素子（計器用変圧器及び変流器など）の取付状態を略記した正面図である。
【０００３】
図において、１００は三相３線式の計器用変成器である。１は鋼板製の外箱であり、内部に計器用変圧器２および変流器３が各々２個収納されている。計器用変圧器２は計器用変圧器取付板４に取付けられ、変流器３は変流器取付板５に取付けられており、計器用変圧器取付板４および変流器取付板５は組み合わせて一体に構成されている。６は外箱１に固着された固定板であり、計器用変圧器取付板４およびＣＴ取付板５を複数のボルト７を用いて締付け固定している。８は計器用変圧器の一次ケーブルであり、その先端部８ａは外箱１内の上部において、外箱１内に引込まれた送電回路用導体（内部高圧線という場合もある・図示せず）に接続されている。この送電回路用導体との接続は、図９に示すように、変流器３の一次コイル側接続部９を介して接続することもある。
【０００４】
このような従来の計器用変成器においては、使用状態において、例えば、外箱１の内部に装着された計器用変圧器２の一次コイル側（以下一次側という）に異常があり、短絡事故が生じると内部爆発が発生する。計器用変圧器２の一次側の短絡による内部爆発が発生すると、計器用変圧器２の一次ケーブル８の根元部８ｂが計器用変圧器２の本体部から切り離され、そのせん断部にアークが発生する。この時、アークによる電磁力とアーク噴射、あるいはアークガス発生による内部圧力の上昇で外箱１または外箱１の蓋（図示せず）が変形し、外箱１と蓋の間に隙間があきアークガスを外部に放圧する。このようにアークガスが発生すると、一次ケーブル８はアークガスによる圧力により上方に跳ね上がり、アークを飛ばしながら外箱１内であばれまわって暴乱状態になる。一次ケーブル８がこのように暴乱状態になると、外箱１に一次ケーブル８が接近し、あるいは、接触して、発生したアークにより外箱１が溶損する場合がある。
【０００５】
【発明が解決しようとする課題】
上記のように従来の計器用変成器では、例えば、外箱１の内部に収納された計器用変圧器２の一次側の短絡による内部爆発が発生した場合、一次ケーブル８の根元部８ｂが計器用変圧器２の本体から切り離され、一次ケーブル８の先端部８ｃ（二点鎖線で示す）が外箱１に接近し、あるいは、接触して一次ケーブル８の先端部８ｃから出るアークが外箱１に飛び、このアークが一次ケーブル８と外箱１の間でつながる。そして、その箇所がアークにより溶損して外箱１に貫通孔があくという問題点があった。
【０００６】
この発明は上記のような問題点を解決するためになされたもので、計器用変圧器の一次側の短絡による内部爆発が発生しても、計器用変圧器の一次ケーブルが外箱内で暴乱状態にならないようにする。即ち、切断された一次ケーブルの先端部からのアークが外箱に飛び、外箱に貫通孔があくなどの問題点を抑制することができる計器用変成器を得ることを目的とする。
【０００７】
【課題を解決するための手段】
この発明に係る計器用変成器装置においては、金属製の外箱と、この金属製の外箱の内部に収納されると共に、引込まれた送電回路用導体に一次コイルが接続され、かつ、二次コイル側から所定の出力を取り出すようになされた計器用変圧器及び変流器とを有するものにおいて、上記引込まれた送電回路用導体と計器用変圧器の一次コイルとの間を接続する一次ケーブルの中間部分を、保持部材を用いて外箱の内部の適切な位置に保持したものである。
【０００８】
また、保持部材のケーブル保持部を、引込まれた送電回路用導体と上記計器用変圧器の一次コイルとの間を接続する一次ケーブルの主要部分が貫通できるように細長い筒状に形成して、一次ケーブルをこの筒状の保持部材の中を貫通させることにより保持したものである。
【０００９】
また、細長い筒状に形成されたケーブル保持部の側壁に、収納された計器用変圧器または変流器の方向に向かって開口した窓孔を設けることにより、安全な方向にアークを飛ばすように構成したものである。
【００１０】
さらに、細長い筒状に形成されたケーブル保持部の先端に、所定方向に屈曲した筒状キャップを設けることにより、一次ケーブルの暴乱状態の抑制を確実にし、かつ、安全な方向にアークを飛ばすように構成したものである。
【００１１】
【発明の実施の形態】
実施の形態１．
図１は、この発明の実施の形態１を示す計器用変成器装置の正面図であり、内部素子（計器用変圧器及び変流器など）の取付状態を略記したものである。図２は、図１の計器用変成器に使用される保持部材を示す斜視図である。図３は図１に示す計器用変成器の要部拡大側面図である。
【００１２】
図において、２００はこの発明による三相３線式の計器用変成器装置であり、従来の三相３線式の計器用変成器と同様に内部に計器用変圧器２および変流器３が各々２個収納されている。即ち、１は鋼板製の外箱、２は計器用変圧器、３は変流器、４は計器用変圧器取付板、５は変流器取付板、６は外箱１に固着された固定板、７はボルト、８は計器用変圧器の一次ケーブル、９は変流器３の一次コイル側接続部であり、これらは、上記従来の計器用変成器と同様のものである。
【００１３】
１０は例えばエポキシ樹脂で形成された保持部材であり、図２に示すように、支柱部１０ａと、計器用変圧器２の一次ケーブル８を貫通させるための中空孔１０ｂを有するケーブル保持部１０ｃとで形成されている。この保持部材１０は、図３に示すように、計器用変圧器２から口出しされる４本の一次ケーブル８にそれぞれ１個取付けるように構成されている。また、この保持部材１０は、計器用変圧器取付板４および変流器取付板５にボルト１１で取付け固定されている。
【００１４】
このように構成された計器用変成器装置においては、例えば、計器用変圧器２の一次側の異常に起因して短絡による内部爆発が発生した場合、計器用変圧器２の一次ケーブル８の根元部８ｂの近傍がせん断されることがある。このせん断により、一次ケーブル８が計器用変圧器２の本体から切り離されることになる。切り離された場合、一次ケーブル８は内部高圧線に接続されているので、その先端部からアークが発生することになるが、一次ケーブル８は保持部材１０により固定されているので、外箱１の内部での暴乱状態が抑制される。従って、一次ケーブル８が外箱１に接近あるいは接触することがないので、せん断された一次ケーブル８の先端部からアークが外箱１に飛び、外箱１に貫通孔があくような問題点が解消される。
【００１５】
また、保持部材１０は絶縁物であるエポキシ樹脂で製作されているために耐電圧性能が確保できる。さらに、計器用変圧器２の一次ケーブル８の固定と同時に外箱１との絶縁距離を確保できるので、絶縁信頼性が向上する。さらにまた、一次ケーブル８を保持部材１０で固定するので、一次ケーブル８のふらつき等がなくなり、小形でコンパクトな製品を製作することができる。なお、保持部材１０はエポキシ樹脂のような絶縁材料で形成するのが最も効果的であるが、外箱１の大きさ、あるいは、一次ケーブル８の位置などによっては、金属材料による保持部材を用いることも可能である。
【００１６】
実施の形態２．
図４は、この発明の実施の形態２を示す計器用変成器装置の正面図であり、内部素子（計器用変圧器及び変流器など）の取付状態を略記したものである。図５は図４に示す計器用変成器に使用される保持部材を示す斜視図である。図において、２００はこの発明による三相３線式の計器用変成器であり、上記の実施の形態１における三相３線式の計器用変成器と同様に内部に計器用変圧器２および変流器３が各々２個収納されている。即ち、１は鋼板製の外箱、２は計器用変圧器、３は変流器、４は計器用変圧器取付板、５は変流器取付板、６は外箱１に固着された固定板、７はボルト、８は計器用変圧器の一次ケーブル、９は変流器３の一次コイル側接続部であり、これらは、上記の実施の形態１の計器用変成器と同様のものである。
【００１７】
２０は例えばエポキシ樹脂で形成された保持部材であり、支柱部２０ａと、一次ケーブル８を貫通させる中空孔２０ｂを有するケーブル保持部２０ｃとで形成され、実施の形態１のケーブル保持部１０ｃに比べてケーブル保持部２０ｃおよび中空孔２０ｂの長さを長く形成したものである。即ち、外箱１の内部に引込まれた送電回路用導体（図示せず）と計器用変圧器２の一次コイル（図示せず）との間を接続する一次ケーブル８において、中間の主要部分が被われるように、ケーブル保持部２０ｃを細長い筒状に形成したものである。２０ｄは一次ケーブル８とケーブル保持部２０ｃの上端部とを絶縁テープを巻付けて固定するときの、絶縁テープのずれ止め用溝である。
【００１８】
この発明の実施の形態２の構成によれば、計器用変圧器２の一次ケーブル８を貫通させるケーブル保持部２０ｃの長さを、一次ケーブル８の主要部分が被われるように細長い筒状に形成した。従って、内部爆発時において、実施の形態１に示す保持部材１０よりも強固に一次ケーブル８を固定できるので、一次ケーブル８の暴乱状態が抑制される。また、一次ケーブル８のせん断部から発生するアークは保持部材２０の中空孔２０ｂの下方に飛ぶことになるので、外箱１に貫通孔があくなどの問題点を防止できる。
【００１９】
実施の形態３．
図６は、この発明の実施の形態３の計器用変成器装置に使用される保持部材を示す斜視図である。図において、２０ｅは一次ケーブル８を貫通させる中空孔２０ｂと外周部とを連通させる複数の窓孔である連通孔であり、その連通孔２０ｅの位置は、計器用変成器２００に装着時に計器用変圧器または変流器３の方向に向くように形成されている。なお、連通孔２０ｅ以外の部分は、実施の形態２における保持部材２０と同様に形成されている。
【００２０】
この実施の形態によれば、保持部材２０のケーブル保持部２０ｃに、一次ケーブル８を貫通させる中空孔２０ｂと外周部とを連通する複数の連通孔２０ｅを設けるようにしたので、内部爆発時において、計器用変圧器２の一次ケーブル８のせん断部からのアークを、保持部材２０の連通孔２０ｅから変流器３の方向へ飛ばすことができ、外箱１にアークが飛ばなくなるので、外箱１に貫通孔があくのを防止できる。
【００２１】
実施の形態４．
図７は、この発明の実施の形態４を示す計器用変成器装置に使用される保持部材を示す斜視図である。図において、４１はエポキシ樹脂で形成された筒状キャップである絶縁キャップであり、一端部は保持部材２０の上端部にエポキシ接着剤等を塗布して動かないように固着されている。絶縁キャップ４１の他端部は、保持部材２０の中空孔２０ｂおよび絶縁キャップ４１に一次ケーブル８を折り曲げて挿入後、押え板４２で下側から挟み、その上に絶縁テープ４３を巻付けて一次ケーブル８を固定している。
【００２２】
この実施の形態４の構成によれば、保持部材２０の上端部に屈曲した絶縁キャップ４１を取付け、一次ケーブル８を折り曲げて挿入し、その端部を絶縁テープ４３を巻付けて固定しているので、内部爆発時において、実施の形態２よりも、強固に一次ケーブル８を固定できるとともに、一次ケーブル８のせん断部から発生するアークを保持部材２０の中空孔２０ｂの下方に飛ばすことができ、外箱１にアークが飛ばなくなるので、外箱１に貫通孔があくのを防止できる。
【００２３】
実施の形態５．
図８は、この発明の実施の形態５を示す計器用変成器装置に使用される保持部材を示す斜視図である。図において、５１はエポキシ樹脂で形成された筒状キャップである絶縁キャップであり、一端部を保持部材２０の上端部にエポキシ接着剤等を塗布して動かないように固着されている。絶縁キャップ５１の他端部は保持部材２０の中空孔２０ｂおよび絶縁キャップ５１に一次ケーブル８を折り曲げて挿入後、その上に絶縁テープ４３を巻付けて一次ケーブル８を固定している。
【００２４】
この実施の形態５の構成によれば、実施の形態４と同様に強固に一次ケーブル８を固定できとともに、一次ケーブル８のせん断部から発生するアークを保持部材２０の中空孔２０ｂの下方に飛ばすことができ、外箱１にアークが飛ばなくなるので、外箱１に貫通孔があくのを防止できる。
【００２５】
なお、上記絶縁キャップ４１および絶縁キャップ５１は、保持部材２０に一体に形成されたものであってもよい。
【００２６】
【発明の効果】
本発明は、以上説明したように構成されているので、以下に示すような効果を奏する。
【００２７】
計器用変圧器の一次ケーブルを固定する保持部材を設けることにより、計器用変圧器の一次側の短絡による内部爆発時に、外箱内での一次ケーブルの暴乱状態の発生が抑制される。従って、一次ケーブルの先端から外箱にアークが飛ばなくなるので、外箱に貫通孔があくのを防止できる。
【００２８】
また、保持部材の一次ケーブルを貫通させる中空孔の長さを、一次ケーブルの主要部分が貫通できるように細長い筒状に形成したので、実施の形態１に示す保持部材よりも強固に一次ケーブルを固定できると共に、一次ケーブルのせん断部から発生するアークを保持部材の中空孔の下方に飛ばすことができる。従って、外箱の方向にアークが飛ぶことがないので、外箱に貫通孔があくのを防止できる。さらに、計器用変圧器の一次ケーブルと外箱との絶縁距離が確保でき、絶縁信頼性が向上される。
【００２９】
さらに、保持部材のケーブル保持部に、一次ケーブルを貫通させる中空孔と保持部材の外周部とが連通する連通孔を設けるようにしたので、内部爆発時において、計器用変圧器の一次ケーブルのせん断部から発生するアークを、保持部材の連通孔から変流器の方向へ飛ばすことができ、外箱にアークが飛ばなくなるので、外箱に貫通孔があくのを防止できる。
【００３０】
さらにまた、保持部材の上端部に屈曲した絶縁キャップを固着して一次ケーブルを固定するようにしたので、強固に一次ケーブルが固定される。従って、内部爆発時において一次ケーブルがあばれまわって暴乱状態になるような問題点が解消される。
【図面の簡単な説明】
【図１】  本発明の実施の形態１の計器用変成器装置を示す正面図である。
【図２】  本発明の実施の形態１の保持部材を示す斜視図である。
【図３】  図１に示す計器用変成器の要部拡大側面図である。
【図４】  本発明の実施の形態２の計器用変成器装置を示す正面図である。
【図５】  本発明の実施の形態２の保持部材を示す斜視図である。
【図６】  本発明の実施の形態３の保持部材を示す斜視図である。
【図７】  本発明の実施の形態４の保持部材を示す斜視図である。
【図８】  本発明の実施の形態５の保持部材を示す斜視図である。
【図９】  従来の計器用変成器を示す正面図である。
【符号の説明】
１  外箱、２  計器用変圧器、３  変流器、８  一次ケーブル、
１０，２０  保持部材、１０ａ，１０ｂ  支柱部、１０ｂ，２０ｂ  中空孔、
１０ｃ，２０ｃケーブル保持部、２０ｅ  連通孔、
４１，５１  絶縁キャップ、１００，２００  計器用変成器。
【図１】
0003659806.tif 000002
【図２】
0003659806.tif 000003
【図３】
0003659806.tif 000004
【図４】
0003659806.tif 000005
【図５】
0003659806.tif 000006
【図６】
0003659806.tif 000007
【図７】
0003659806.tif 000008
【図８】
0003659806.tif 000009
【図９】
0003659806.tif 000010